(57)【要約】【課題】掲示内容に興味を持った利用者に対して、特別な機器を必要とすることなく、この掲載内容に対する詳細情報や関連情報を提供できるようにする。【解決手段】ポスター２０には、無線ＩＣタグが取り付けられており、ポスター貼付部５に貼り付けることにより、この無線ＩＣタグからこのポスター２０に対するタグＩＤ情報が無線ＩＣタグリーダ７で読み取られ、制御装置２に送られる。制御装置２は、このタグＩＤ情報により、ポスター貼付部５に貼り付けられたポスター２０の広告内容夫々に対するコンテンツ（詳細情報や関連情報）をコンテンツサーバ３から取り込む。利用者がポスター２０の興味を持つ広告内容の場所を指し示すと、制御装置２は超音波センサ８ａ，８ｂの出力によってその指し示した位置、従って、この広告内容を判定し、これに対する詳細情報をコンテンツ再生部６のディスプレイ９やスピーカ１０から利用者に提供する。【選択図】図１
2006030883.tif 000002
【特許請求の範囲】
【請求項１】
ＩＣタグ読取装置及び位置検知センサを備え、掲示媒体を掲示するための掲示装置と、映像情報と音声情報との少なくとも１つからなるコンテンツ情報を再生するコンテンツ再生装置と、該掲示装置及び該コンテンツ再生装置を制御する制御装置と、コンテンツ情報を管理するコンテンツサーバとから構成される情報提供システムにおいて、
該制御装置は、
該掲示装置に掲示された該掲示媒体に対するコンテンツ情報と、該掲示装置に掲示された該掲示媒体上での位置情報と該コンテンツ情報とを対応付ける第１の対応情報とを格納する手段と、
該位置検知センサからの入力情報を位置情報に変換する手段と、
該位置情報に対して、該第１の対応情報を参照し、対応するコンテンツ情報を選択する手段と、
選択した該コンテンツ情報をコンテンツ再生装置で再生させる手段と
を有することを特徴とする情報提供システム。
【請求項２】
請求項１に記載の情報提供システムであって、
前記制御装置は、
前記掲示装置に掲示する掲示媒体に対するタグＩＤ情報と前記第１の対応情報とを対応付ける第２の対応情報を格納する手段と、
該第２の対応情報を参照して、前記ＩＣタグ読取装置で該掲示媒体から読み取られたタグＩＤ情報に対応する前記第１の対応情報を選択する手段と、
保持している前記第１の対応情報を選択した第１の対応情報に置き換える手段と
を有することを特徴とする情報提供システム。
【請求項３】
請求項２に記載の情報提供システムであって、
前記制御装置は、前記ＩＣタグ読取装置によって読み取られたタグＩＤ情報を前記コンテンツサーバに送信する手段を有し、
前記コンテンツサーバは、前記掲示装置に掲示される前記掲示媒体毎の前記コンテンツ情報と前記第２の対応情報とを格納する手段と、前記制御装置から前記タグＩＤ情報を受信する手段と、前記第２の対応情報を参照して前記タグＩＤ情報に対応する前記第１の対応情報を選択する手段と、選択した前記第１の対応情報を前記制御装置に送信する手段とを有し、
前記制御装置は、前記コンテンツサーバからの前記第１の対応情報を受信する手段と、第１の対応情報を格納する前記手段で前記保持していた第１の対応情報の代わりに受信した前記第１の対応情報を保持させる手段とを有することを特徴とする情報提供システム。
【請求項４】
請求項３に記載の情報提供システムであって、
前記コンテンツサーバは、前記第２の対応情報を参照して受信した前記タグＩＤ情報に対応する前記コンテンツ情報を選択する手段と、選択した前記コンテンツ情報を前記制御装置に送信する手段とを有し、
前記制御装置は、前記コンテンツサーバから前記コンテンツ情報を受信する手段と、コンテンツ情報を格納する前記手段で前記保持していたコンテンツ情報の代わりに受信した前記コンテンツ情報を保持させる手段とを有することを特徴とする情報提供システム。
【請求項５】
請求項１に記載の情報提供システムであって、
前記制御装置は、
前記掲示装置内の位置情報とコンテンツ情報の参照先とを対応付けた第１の対応情報を格納する手段と、
前記位置検知センサからの入力情報を位置情報に変換する手段と、
変換された該位置情報に対応するコンテンツ情報の参照先を、該第１の対応情報を参照して、選択する手段と、
選択した該コンテンツ情報の参照先からコンテンツ情報を受信する手段と、
受信した該コンテンツ情報を前記コンテンツ再生装置で再生させる手段と
を有することを特徴とする情報提供システム。
【請求項６】
ＩＣタグ読取装置及び位置検知センサを備え、掲示媒体を掲示するための掲示装置と、映像情報と音声情報との少なくとも１つからなるコンテンツ情報を再生するコンテンツ再生装置と、該掲示装置及び該コンテンツ再生装置を制御する制御装置と、コンテンツ情報を管理するコンテンツサーバとから構成される情報提供システムによる情報提供方法であって、
該制御装置が該位置検知センサからの入力情報を受け付ける第１のステップと、
該制御装置が該入力情報を位置情報に変換する第２のステップと、
該制御装置が、位置情報とコンテンツ情報とを対応付けた第１の対応情報を参照して、変換された該位置情報に対応するコンテンツ情報を選択する第３のステップと、
該制御装置が、該コンテンツ再生装置に対して、選択した該コンテンツ情報を出力する第４のステップと
を有することを特徴とする情報提供方法。
【請求項７】
ＩＣタグ読取装置及び位置検知センサを備え、掲示媒体を掲示するための掲示装置と、映像情報と音声情報との少なくとも１つからなるコンテンツ情報を再生するコンテンツ再生装置と、該掲示装置及び該コンテンツ再生装置を制御する制御装置と、コンテンツ情報を管理するコンテンツサーバとから構成される情報提供システムによる情報提供方法であって、
該制御装置が該位置検知センサからの入力情報を受け付ける第１のステップと、
該制御装置が該入力情報を位置情報に変換する第２のステップと、
該制御装置が、位置情報とコンテンツ情報の参照先とを対応付けた第１の対応情報を参照して、変換された該位置情報に対応するコンテンツ情報の参照先を選択する第３のステップと、
該制御装置が選択した該コンテンツ情報の参照先から該コンテンツ情報を取得する第４のステップと
該制御装置が、該コンテンツ再生装置に対して、取得した該コンテンツ情報を出力する第５のステップと
を有することを特徴とする情報提供方法。
【請求項８】
請求項７に記載の情報提供方法であって、
前記制御装置が前記該ＩＣタグ読取装置から前記掲示媒体のタグＩＤ情報を読み取る第１のステップと、
前記制御装置が読み取った該タグＩＤ情報を前記コンテンツサーバに送信する第２のステップと、
前記コンテンツサーバが、タグＩＤ情報と前記第１の対応情報とを対応付けた第２の対応情報を参照して、前記制御装置からの受信した該タグＩＤ情報に対応する第１の対応情報を選択する第３のステップと、
前記コンテンツサーバが、前記制御装置に対して、前記第１の対応情報を送信する第４のステップと、
前記制御装置が、前記コンテンツサーバからの前記第１の対応情報を受信する第５のステップと、
前記制御装置が、保持していた第１の対応情報を受信した該第１の対応情報に置き換える第６のステップと
を有することを特徴とする情報提供方法。
【請求項９】
請求項８に記載の情報提供方法であって、
前記第６のステップは、前記第１の対応情報に記載された全てのコンテンツ情報を前記コンテンツサーバから受信するステップを有することを特徴とする情報提供方法。
【請求項１０】
ポスターを掲示するための情報提供システムにおいて、
取り外し可能にポスターを保持する掲示装置と、
該掲示装置に隣接して配置された表示装置と
を備え、
該表示装置は、該ポスター内の掲示情報であって、利用者によって指定された掲示情報に応じた情報を表示することを特徴とする情報提供システム。
【請求項１１】
掲示媒体を保持するための掲示装置と、
該掲示媒体が保有するＩＤ情報を該掲示媒体から読み取る読取装置と、
該掲示媒体に掲示される掲示情報に関連する情報を表示するための表示装置と、
該ＩＤ情報と、該掲示情報の該掲示媒体での掲示位置情報と、該掲示情報に関する情報とを記憶する記憶装置と、
該掲示媒体での利用者によって指定された位置を検出する位置検出装置と、
該読取装置からの該ＩＤ情報と該位置検出装置からの該掲示媒体での位置情報とに基づいて、該掲載情報に関連する情報を該記憶装置から検索し、検索した該掲載情報に関連する情報を該表示装置に送信する処理装置と
を備えたことを特徴とする情報提供システム。
【発明の詳細な説明】
【技術分野】
【０００１】
本発明は、ポスターなどの掲示媒体に掲示される情報についての情報を利用者に提供する情報提供システム及び方法に係り、特に、掲示媒体に掲載される情報のうちで利用者の興味の対象となる情報についての情報を提供し、また、掲示媒体が取り換えられた場合でも、これに応じて提供する情報も換えることができるようにした情報提供システム及び方法に関する。
【背景技術】
【０００２】
紙製のポスターなどの広告媒体で表示される情報に関連した情報を利用者に関連情報を提供する方法として、かかる関連した情報が記憶された無線ＩＣタグ（ＲＦＩＤタグ）をポスタに貼り付けて利用する方法が知られている。
【０００３】
その一例として、映画や商品などのポスターの宣伝対象に関連した情報を記憶した無線ＩＣタグをポスターの所定の位置に貼り付け、携帯型タグリーダをこの無線ＩＣタグに近づけることにより、この無線ＩＣタグに記憶されている情報をこの携帯型タグリーダで読み取ることができ、この情報を携帯端末のディスプレイで表示させたり、プリンタに出力することができるようにしたものである（例えば、特許文献１参照）。
【０００４】
他の例としては、特許文献１に記載の技術と同様に、ポスターで宣伝する商品を説明するための広告情報が文字テキストや音声データ，画像データなどとして記憶された無線タグがポスターに貼り付けられ、これを携帯端末装置で読み取ることができるようにしたものであって、携帯端末装置では、無線タグから読み取ったかかる広告情報をこの携帯端末装置の表示装置やスピーカで表示できるようにしたものである。また、無線タグに記憶する情報としては、ポスターの宣伝情報ばかりでなく、かかる宣伝情報に関連した情報へのリンク情報としてのインターネット上のホームページへのＵＲＬ（Uniform Resource Locator），問い合わせ先の電話番号などの情報も記憶するようにし、携帯端末装置では、無線タグからＵＲＬを読み取ると、広告商品のインターネット予約を可能とし、また、無線タグから電話番号を読み取ると、広告商品の問い合わせができるようにしたものである（例えば、特許文献２参照）。
【０００５】
このように、これら特許文献１，２に記載の発明では、ポスターに貼り付けた無線ＩＣタグに広告に関連した情報、あるいはＵＲＬ，電話番号などの広告に関連した情報へのリンク情報を格納しておくことにより、ＩＣタグリーダや携帯端末装置を所有した視聴者に対して、ポスターの広告対象に関連した情報を提供するものであり、これにより、広告主は、広告に興味を持った利用者に対して、ポスターに印刷可能な情報量以上の情報を提供することが可能となる。
【０００６】
一方、表示情報に対する利用者の入力を受け付ける装置として、タッチパネルディスプレイ装置が広く普及している。タッチパネルディスプレイ装置は、ディスプレイ装置の画面の表面にセンサを設けたものであって、利用者がこの画面を手で触れると、センサによってこの手が触れた部位の位置情報を取得し、これを制御装置で処理してその部位（タッチ位置）を判定し、そのタッチ位置に応じた処理動作を行なわせるようにするものである。かかるタッチパネルディスプレイ装置は、利用者が直感的に操作できるというメリットがあるため、例えば、券売機やＡＴＭなど、不特定多数の利用者が利用する公共の端末に広く採用されている。
【０００７】
ところで、実世界の対象物に対する利用者の入力を受け付ける方法として、センサを用いたものが知られている（例えば、特許文献３参照）。
【０００８】
これは、例えば、ポスタでの絵画や地図，模型といった対象物に対し、利用者が希望する特定の部分を指示できるようにしたものであって、この指示された部分の位置をセンサでもって検知するものである。例えば、対象物を絵画とした場合、このテーブルに取り付けられた絵画の４隅にセンサ位置検出装置が設けられ、利用者がセンサ装置でこの絵画の所望とする位置を指示すると、このセンサ装置に設けられたセンサからの信号をセンサ位置検出装置が検出することにより、絵画上でのこのセンサ装置の位置、従って、利用者が指示した位置を検出し、この絵画の指示された部分が別途設けられているディスプレイ上に拡大して表示されるものである。
【特許文献１】特開２００２−１６２９１８号公報
【特許文献２】特開２００２−２６８５９３号公報
【特許文献３】特開２００２−１５２６２０号公報
【発明の開示】
【発明が解決しようとする課題】
【０００９】
ところで、上記特許文献１，２に記載の無線ＩＣタグ付きのポスターから利用者が所望とする情報を取得するためには、この利用者は、この無線ＩＣタグからかかる情報を読み取るための無線ＩＣタグリーダを備えた情報機器を所持することが必要があり、このため、このポスターを利用可能な対象者が限られてしまう問題があった。
【００１０】
また、広告に興味を持った利用者に対し、一律に同じ情報しか提供することができず、例えば、利用者毎に広告の中で興味のある対象が異なっても、提供される情報は同じであって、興味のある対象に応じた情報が提供されるものではなかった。
【００１１】
さらに、提供する情報は無線ＩＣタグ内に格納された情報のみであるため、提供される情報量にも限度があった。
【００１２】
さらに、ＵＲＬや電話番号などの関連情報へのリンク情報が無線ＩＣタグに格納されていても、このリンク情報を用いて取得した関連情報を閲覧する場合には、携帯端末での画面サイズなどの制約から閲覧できる情報量が制限されるという問題があるし、また、リンク情報を用いて関連する情報にアクセスするためには、無線ＩＣタグからこれを読み取った後、リンク先情報にアクセスするという操作を必要とするため、利便性の点でも問題があった。
【００１３】
本発明の第１の目的は、かかる問題を解消し、ポスターなどの掲示媒体に興味を持った利用者に対して、利用者が特別な機器を必要とすることなく、かつ興味の対象に応じて、大容量コンテンツを含む任意の情報を提供可能とした情報提供システム及び方法を提供することにある。
【００１４】
一方、利用者が表示情報に対して直感的にアクセスを行なう手段として、上記のように、タッチパネルディスプレイがある。タッチパネルディスプレイでは、ディスプレイ装置の表示内容を制御装置で制御しているため、利用者による入力情報が何を指し示しているかを、表示内容と照らし合わせることにより、認知することができる。しかし、例えば、情報を表示する媒体が紙製のポスターなどといった実世界の対象物である場合などでは、表示内容をタッチパネルセンサの制御装置が認知していない場合、利用者が何を指し示しているのかを認知することができなかった。
【００１５】
さらに、広告を行なうためには、広く衆目を集めることが必要であるため、一般に広告媒体を大サイズ化することが要求されるが、タッチパネルディスプレイを広告媒体として用いる場合、タッチパネルディスプレイは単位面積当たりのコストが高いために、紙製のポスターに比べ、費用対効果が低いという問題もあった。
【００１６】
これに対して、上記特許文献３に記載の技術では、ポスターや地図などといった実世界の対象物にセンサが付加され、これによって利用者による入力（即ち、利用者による対象物の所定部位の指示入力）を検知する方法がとられている。しかし、この方法では、この入力に対応してディスプレイで表示される情報は実世界の対象物での指示された部位の拡大映像のみであり、実世界の対象物とディスプレイで表示される情報とが同一である場合にのみ可能な方法である。つまり、特許文献３には、利用者の入力を受け付ける対象物とディスプレイの表示内容とが異なる場合のこれらを対応付ける方法は示されていない。
【００１７】
そこで、本発明の第２の目的は、上記第１の目的を達成するとともに、掲示媒体を入れ替えるときには、これに対応して、提供する情報も容易に入れ替えることができるようにした情報提供システム及び方法を提供することにある。
【課題を解決するための手段】
【００１８】
上記の第１の目的を達成するために、本発明は、掲示媒体の掲示装置に位置検出センサを設けて、掲示媒体に対する利用者による入力位置を検知するとともに、制御装置に、該掲示装置に取り付けられた掲示媒体の表示内容に対するコンテンツ情報、及び該表示内容と掲示媒体でのその表示内容の位置とコンテンツ情報とを対応付ける情報を保持し、掲示装置に取り付けられた掲示媒体での利用者が指し示した表示内容に対するコンテンツ情報を情報再生装置で利用者に提供するようにする。
【００１９】
上記第２の目的を達成するために、本発明は、掲示媒体にこの掲示媒体を特定するタグＩＤ情報を格納した無線ＩＣタグを設けるとともに、掲示装置に無線ＩＣタグリーダを設け、制御装置は、掲示装置に取り付けられた掲示媒体の無線ＩＣタグからそのタグＩＤ情報を無線ＩＣタグリーダで読み取ることにより、掲示装置での掲示媒体の入れ替えを検知し、掲示媒体の入れ替えがあったときには、コンテンツ情報や表示内容の位置とコンテンツ情報とを対応付ける情報を新たに入れ替えられた掲示媒体に対するものに更新する。
【発明の効果】
【００２０】
本発明によれば、掲示媒体での掲示内容のうちで利用者が興味をもつ対象に対し、利用者に特別な機器を必要とすることなく、大容量の動画コンテンツなどからなるその詳細情報や関連情報を提供することができ、効果の高い情報提供を実現できる。
【００２１】
また、本発明によれば、掲示媒体を入れ替える場合にも、掲示媒体に取り付けられているＩＣタグを読み取ることにより、新たに入れ替えられた掲示媒体に対応する詳細情報や関連情報を利用者に提供できる状態に自動的に更新されることになり、情報提供の運用が簡便になる。
【発明を実施するための最良の形態】
【００２２】
以下、本発明の実施形態を図面により説明する。
【００２３】
図１は本発明による情報提供システム及び方法の一実施形態を示す図であって、１は広告表示装置、２は制御装置、３はコンテンツサーバ、４はネットワーク、５はポスター貼付部、６はコンテンツ再生部、７は無線ＩＣタグリーダ、８ａ，８ｂは超音波センサ、９はディスプレイ、１０はスピーカ、２０はポスターである。なお、以下では、無線ＩＣタグ７を用いた場合について説明するが、有線、即ち、接触タイプのＩＣタグであってもよい。
【００２４】
同図において、広告表示装置１とこれに接続された制御装置２とで情報提供システムが構成されており、公共スペースなどに設置される。広告表示装置１は、掲示媒体としてのポスター２０を取り外し可能に貼り付けることができる掲示装置、即ち、ポスター貼付部５と、このポスター貼付部５に貼り付けられたポスターに関連した情報（コンテンツ情報）を再生するためのコンテンツ再生部６とからなり、このポスター貼付部５に貼り付けられるポスター２０の広告内容に対する詳細情報や関連情報が、後述するように、制御部２に保存されている。
【００２５】
このポスター貼付部５の互いに隣り合う２辺には、夫々超音波センサ８ａ，８ｂが設けられており、これら超音波センサ８ａ，８ｂがポスター貼付部５での、従って、このポスタ貼付部５に貼り付けられているポスター２０での利用者が指示する（指し示す）場所の位置を検出する位置検出装置を構成している。利用者がこのポスター２０の所望とする場所を指し示し、この位置が超音波センサ８ａ，８ｂによって検出されることにより、この利用者による入力が行なわれたことになるが、この利用者による入力情報（即ち、利用者が指し示した位置を表わす情報）は制御装置２に供給される。
【００２６】
また、ポスター貼付部５の任意の位置（ここでは、このポスター貼付部５の右下隅としている）には、無線ＩＣタグリーダ７が設けられており、このポスター貼付部５に貼り付けられたポスター２０に取り付けられている無線ＩＣタグ（図示せず）に格納されている情報を読み取る。この読み取られた情報も、制御装置２に供給される。
【００２７】
図２はポスター２０の一具体例を概略的に示す図であって、２１は無線ＩＣタグ、２２ａ〜２２ｃは広告内容である。
【００２８】
同図において、ポスター２０には、文章などの文字列や画像などからなる１以上の広告内容２２ａ〜２２ｃが記載されており、また、無線ＩＣタグ２１が貼り付けられ、あるいは漉き込まれて取り付けられている。この無線ＩＣタグ２１の取り付け位置としては、このポスター２０を広告表示装置１でのポスター貼付部５（図１）に決められた所定の状態で貼り付けたとき、このポスター２０の無線ＩＣタグ２１がポスター貼付部５（図１）での無線ＩＣタグリーダ７と通信可能となるような位置とする。
【００２９】
図３は図２における無線ＩＣタグ２１の一具体例の内部構造を示す図であって、２１ａはアンテナ、２１ｂはＩＣチップ、２１ｃはメモリ、２１ｄはタグＩＤ情報である。
【００３０】
同図において、無線ＩＣタグ２１は、アンテナ２１ａとＩＣタップ２１ｂとが内蔵されたものであって、このＩＣチップ２１ｂには、この無線ＩＣタグが取り付けられたポスター２０（図２）を一意的に識別可能とするタグＩＤ情報２１ｄが記憶された不揮発性のメモリ２１ｃが格納されている。
【００３１】
そこで、かかるポスター２０（図２）を図１における広告表示装置１のポスター貼付部５に貼り付けると、無線ＩＣタグリーダ７がこのポスタ２０の無線ＩＣタグ２１（図２）からタグＩＤ情報２１ｄ（図３）を読み取り、制御装置２に供給する。制御装置２は、このタグＩＤ情報２１ｄを取り込むことにより、このタグＩＤ情報２１ｄが割り当てられたポスター２０がポスター貼付部５に貼り付けられたことを認識する。
【００３２】
また、ポスター２０には、１以上の広告内容が載せられているが、その中の全部もしくは一部の広告内容に対しては、映像（テキストも含む）と音声との少なくとも１つによってその広告内容をさらに詳細に説明する情報（以下、詳細情報という）やこの広告内容に関連する情報（以下、関連情報という）が割り当てられており、かかる詳細情報や関連情報が制御装置２に格納されている。例えば、図２に示すように、ポスター２０に３個の広告内容２２ａ〜２２ｃが載せられているものとし、夫々毎に詳細情報や関連情報が割り当てられているものとすると、これらの情報は制御装置２に格納されている。この場合、これら詳細情報や関連情報は該当する広告内容と対応付けられており、そのための情報（以下、マッピング情報という）も制御装置２に格納されている。このマッピング情報には、ポスター２０での広告内容２２ａ〜２２ｃのこのポスター２０での位置を表わす情報（以下、対応位置情報という）が用いられ、この対応位置情報と詳細情報や関連情報との対応関係をマッピング情報が表わしている。
【００３３】
図４は図１における制御装置の一具体例の内部構造を示す図であって、３０はデバイス制御手段、３１は位置情報算出手段、３２はコンテンツ取得再生手段、３３は通信手段、３４はコンテンツ情報、３５はマッピング情報である。
【００３４】
同図において、制御装置２は、各デバイスを制御するデバイス制御手段３０と広告表示装置１から供給される超音波センサ８ａ，８ｂ（図１）の出力情報信号、即ち、利用者による入力情報から対応位置情報を算出する位置情報検出手段３１と、コンテンツ取得再生手段３２と、コンテンツサーバ３（図１）との通信を行なうための通信手段３３とから構成されており、また、各ポスターの広告内容に対する詳細情報や関連情報をコンテンツ情報３４として格納し、各ポスターの広告内容毎のマッピング情報３５も格納している。
【００３５】
図１において、広告表示装置１のポスター貼付部５にポスター２０（図２）が貼り付けられ、これによってこのポスター貼付部５の無線ＩＣタグリーダ７がこのポスター２０の無線ＩＣタグ２１からタグＩＤ情報２１ｄ（図３）を読み取り、これを制御装置２に供給すると、この制御装置２では、図４において、デバイス制御手段３０が供給されたこのタグＩＤ情報２１ｄをもとに、コンテンツサーバ３（図１）からこのタグＩＤ情報２１ｄに対する（従って、このタグＩＤ情報２１ｄを持つポスター２０に対する）コンテンツ情報３４とマッピング情報３５とを取得する。これにより、制御装置２は、広告表示装置１のポスター貼付部５に貼り付けられたポスター２０の広告内容２２ａ，２２ｂ，２２ｃ（図２）に対する詳細情報や関連情報を広告表示装置１に提供することができ、そのコンテンツ再生部６のディスプレイ９やスピーカ１０で再生させることができる。
【００３６】
図５は制御装置２（図４）に格納されるマッピング情報３５のデータ構造の一具体例を示す図である。
【００３７】
同図において、マッピング情報３５は、コンテンツ情報３４（図４）のファイルを一意的に特定するコンテンツＩＤ３５ａと、このコンテンツＩＤ３５ａで特定されるコンテンツ情報に対する広告内容のポスターでの範囲を規定する情報（Ｘ座標最小値３５ｂ，Ｘ座標最大値３５ｃ，Ｙ座標最小値３５ｄ及びＹ座標最大値３５ｅ）と、コンテンツファイルパス３５ｆとからなるコンテンツ情報毎のレコードから構成されている。
【００３８】
広告表示装置１のポスター貼付部５に貼り付けられるポスターの広告内容に対する詳細情報や関連情報（即ち、コンテンツ情報）は、上記のように、コンテンツサーバ３から制御装置２にコンテンツ情報３４（図４）としてダウンロードされるのであるが、広告内容によっては、そのコンテンツ情報がサコンテンツサーバ３に残されたままとなっているものもある。このように、制御装置２にダウンロードされたコンテンツ情報３４に対しては、図５におけるコンテンツファイルパス３５ｆはこの制御装置２でのこのコンテンツ情報３４の格納位置を示すローカルファイルパスであり、例えば、コンテンツＩＤ３５ａが「０００１」のコンテンツ情報３４が制御装置２に格納されているものとすると、そのコンテンツファイルパス３５ｆは「C:\Contents\001.mpg」のようなローカルファイルパスとなる。また、コンテンツサーバ３に残されたコンテンツ情報に対しては、図５におけるコンテンツファイルパス３５ｆはＵＲＬであり、例えば、コンテンツＩＤ３５ａが「０００２」のコンテンツ情報がコンテンツサーバ３にあるものとすると、そのコンテンツファイルパス３５ｆは「http://dokod.jp/Contents2.mpg」のようなＵＲＬとなる。
【００３９】
次に、図６に示すフローチャートを用いて、広告表示装置１のポスター貼付部５に図２に示すポスター２０が貼り付けられている場合の情報提供動作について説明する。
【００４０】
この場合には、制御装置２はこのポスター２０の広告内容２２ａ〜２２ｃに対するコンテンツ情報を広告表示装置１に提供できる状態にあり、図５に示すマッピング情報３５が制御装置２に格納されているものとする。なお、コンテンツＩＤ３５ａが「０００１」のレコードは広告内容２２ａのコンテンツ情報に対するものであり、コンテンツＩＤ３５ａが「０００２」のレコードは広告内容２２ｂのコンテンツ情報に対するものする。
【００４１】
いま、広告表示装置１のポスター貼付部５に貼り付けられたポスター２０のある場所を利用者がタッチするなどして位置を指し示すことにより、利用者による入力があると、超音波センサ８ａ，８ｂが利用者による入力情報を発生し、制御装置２に供給する（図６のステップ１００）。
【００４２】
図４に示す制御装置２では、この利用者による入力情報を取得すると、位置情報算出手段３１がこの利用者による入力情報を演算処理してポスター２０での利用者による入力位置（利用者が指し示した位置）を示す算出し（図６のステップ１０１）、マッピング情報３５を参照して（図６のステップ１０２）、この入力位置に対応するコンテンツ情報の検索を行なう（図６のステップ１０３）。この入力位置がマッピング情報３５での範囲規定情報３５ｂ〜３５ｂによって規定されるいずれの範囲にも入っていない場合には、コンテンツ情報のレコードが存在せず、利用者はポスター２０の広告内容２２ａ〜２２ｃ以外のエリアを指し示したものとして、処理を終了する（図６のステップ１０７）。
【００４３】
利用者による入力位置がマッピング情報３５のいずれかのレコードでの範囲規定情報３５ｂ〜３５ｂによって規定される範囲に入り、マッピング情報３５に該当するレコードが存在するときには、即ち、利用者がポスター２０の指し示した場所が広告内容２２ａ〜２２ｃのいずれかである場合には（図６のステップ１０３）、制御装置２はこの旨を通知するための信号を広告表示装置１に送る。広告表示装置１は、この信号を受けると、コンテンツ再生部６のスピーカ１０から効果音を発生させ、利用者が指し示した広告内容に対する詳細情報や関連情報を再生することを知らせる（図６のステップ１０４）。
【００４４】
一方、制御装置２では、上記の通知信号を送ると、コンテンツ取得再生手段３２が、利用者による入力位置が範囲規定情報３５ｂ〜３５ｂによって規定される範囲内に含まれるレコードでのコンテンツＩＤ３５ａとコンテンツファイルパス３５ｆとを取得し、これをもとに利用者が指し示したポスター２０での広告内容に対するコンテンツ情報を取得し、広告表示装置１に送る（図６のステップ１０５）。
【００４５】
ここで、利用者がポスター２０での広告内容２２ａを指し示したときには、コンテンツ取得再生手段３２はマッピング情報３５のコンテンツＩＤ３５ａが「００００１」のレコードのコンテンツファイルパス３５ｆとしてローカルファイルパス「C:\Contents\001.mpg」を取得し、これをもとにこの制御装置２に格納されているこの広告内容２２ａに対するコンテンツ情報２４を取得し、広告表示装置１に送る。
【００４６】
また、利用者がポスター２０での広告内容２２ｂを指し示したときには、コンテンツ取得再生手段３２はマッピング情報３５のコンテンツＩＤ３５ａが「００００２」のレコードのコンテンツファイルパス３５ｆとしてＵＲＬ「http://dokod.jp/Contents2.mpg」を取得し、このＵＲＬを通信手段３３によって、ネットワーク４を介し、コンテンツサーバ３に送信する。これにより、この広告内容２２ｂに対するコンテンツ情報はコンテンツサーバ３から配信されるが、このコンテンツ情報は、通信手段３３で受信されると、コンテンツ取得再生手段３２によって直ちに広告表示装置１に送られるストリーミング配信が行なわれる。
【００４７】
広告表示装置１では、制御装置２からコンテンツ情報が送られてくると、その画像情報やテキスト情報が情報再生部でのディスプレイ９で表示され、音声情報はスピーカ１０で再生される（図６のステップ１０６）。
【００４８】
このようにして、広告表示装置１は、駅コンコースやテナントビルなどに設置されて、不特定多数の利用者に対して、まず、紙製のポスター２０によって広く衆目を集めるが、さらに、このポスター２０に興味を持って接近してきた利用者に対して、ディスプレイ９やスピーカ１０によって情報の提供を行なうものである。利用者がポスター２０の前に立ち、このポスター２０の中でさらに興味を持った広告内容に手をかざすなどして指し示すと、広告表示装置１は、手で指し示した位置を超音波センサ８ａ，８ｂによって取得し、ディスプレイ９やスピーカ１０を用いてこの指し示した部位に記載の広告内容について、より詳しい情報や関連情報を提供することができる。利用者が手でポスター２０の特定の部位を指し示した際には、まず、スピーカ１０を用いて効果音を発生するなどして、利用者のアクセスに対して応答していることを示すサインを表示することにより、利用者の興味をさらに引き付けることができる。
【００４９】
図７は図１におけるコンテンツサーバ３の一具体例の内部構造をしめすずであって、４０は通信手段、４１はコンテンツ配信手段、４２はマッピング情報取得手段、４３はコンテンツ情報ＤＢ（データベース）、４４はタグマッピング情報、４５はマッピング情報ＤＢである。
【００５０】
同図において、コンテンツサーバ３は、制御装置２（図１，図４）と通信するための通信手段４０とコンテンツ配信手段４１とマッピング情報取得手段４３とコンテンツ情報ＤＢ４３とマッピング情報ＤＢ４５を備え、また、タグマッピング情報４４が格納される。コンテンツ情報ＤＢ４３には、各ポスター毎のコンテンツ情報が格納されており、マッピング情報ＤＢ４５には、各ポスター毎のマッピング情報が格納されている。
【００５１】
図８はこのマッピング情報ＤＢ４５の一具体例を示す図である。
【００５２】
同図において、マッピング情報ＤＢ４５には、ポスター毎にマッピング情報３５が格納されており、夫々毎にポスターとの対応を示すマッピング情報ＩＤ５０が割り当てられている。ここで、３つのマッピング情報３５を示しており、夫々に割り当てられたマッピング情報ＩＤ５０を「０００１」，「０００２」，「０００３」としている。これらマッピング情報３５は、図５で示したように、コンテンツＩＤ３５ａ，範囲規定情報３５ｂ〜３５ｂ及びコンテンツファイルパス３５ｆからなるものである。
【００５３】
図７におけるコンテンツ情報ＤＢ４３には、各ポスターのコンテンツ情報が格納されており、図示しないが、これらコンテンツ情報毎にコンテンツＩＤが割り当てられている。かかるコンテンツＩＤは、これが割り当てられたコンテンツ情報に対応するマッピング情報に割り付けられたコンテンツＩＤ３５ａと一致するものであり、これによりコンテンツ情報とマッピング情報とが対応付けられている。
【００５４】
図７におけるタグマッピング情報４４は、図９に示すように、広告表示装置１のポスター貼付部５に貼り付けられるポスター毎に割り当てられるタグＩＤ５１とマッピング情報ＩＤ５０とを対応付ける情報であって、このタグＩＤ５１は、ポスター２０に取り付けられている無線ＩＤタグ２１（図２）に記憶されているタグＩＤ情報２１ｄ（図３）と等しいものである。
【００５５】
広告表示装置１のポスター貼付部５に貼り付けられるポスター２０が作成され、このポスターの広告内容２２ａ〜２２ｃ（図２）のコンテンツ情報（詳細情報や関連情報）が作成されると、このポスター２０に貼り付けられている無線ＩＣタグ２１に記憶されているタグＩＤ情報２１ｄ（図３）や広告内容２２ａ〜２２ｃの範囲規定情報３５ｂ〜３５ｂ，このコンテンツ情報などがコンテンツサーバ３（図７）に入力（登録）される。
【００５６】
コンテンツサーバ３では、図示しない制御手段などにより、このポスター２０の広告内容２２ａ〜２２ｃ毎のコンテンツ情報はコンタンツＩＤ３５ａが割り当てられて、コンテンツファイルとして、コンテンツ情報ＤＢ４３に格納される。また、入力されたこのポスター２０に対するタグＩＤ情報２１ｄは、タグＩＤ５１として、マッピング情報ＩＤ５０が割り当てられ、図９に示すように、このポスター２０に対するタグマッピング情報４４が作成される。さらに、このポスター２０の広告内容２２ａ〜２２ｃに対するコンテンツ情報毎に、コンテンツＩＤ３５と入力された広告内容２２ａ〜２２ｃの範囲規定情報３５ｂ〜３５ｅとコンテンツ情報の格納位置を示すコンテンツファイルパス３５ｆとからなるマッピング情報３５が作成され、これらマッピング情報３５にこのポスター２０に割り当てられたマッピング情報ＩＤ５０が割り当てられてマッピング情報ＤＢ４５に格納される。このようにして、広告表示装置１のポスター貼付部５に貼り付けられるポスター２０が新たに作成されると、そのコンテンツ情報やマッピング情報がコンテンツ情報ＤＢ４３，マッピング情報ＤＢ４５に格納され、これとともに、この新たに作成されたポスター２０とこれらコンテンツ情報，マッピング情報とを対応付けるタグマッピング情報４４が作成されて保存される。
【００５７】
なお、コンテンツ情報ＤＢ４３に格納されたコンテンツ情報に対するコンテンツファイルパス３５ｆ（図８）は、広告表示装置１のポスター貼付部５で新たなポスターを貼り付けたときに制御装置２からなされる後述する要求により、コンテンツサーバ３が制御装置２にダウンロードするコンテンツ情報については、この制御装置２内で検索できるローカルファイルパスであり、制御装置２にダウンロードされずにコンテンツサーバ３のコンテンツ情報ＤＢ４３にそのまま残しておくコンテンツ情報については、制御装置２からコンテンツサーバ３にアクセスできるようにするためのＵＲＬである。
【００５８】
広告表示装置１のポスター貼付部５でポスター２０の貼り替えが行なわれた場合、制御装置２はこれを検知し、この新たに貼り付けられたポスター２０に対するコンテンツ情報やマッピング情報３５をコンテンツサーバ３に要求し、このポスター２０に対するコンテンツ情報を広告表示装置１のコンテンツ再生部６で利用者に提供できるようにする。
【００５９】
図１０はこのように広告表示装置１のポスター貼付部５でポスター２０の貼り替えが行なわれたときのこの実施形態の動作の一具体例を示すフローチャートである。
【００６０】
制御装置２は、広告表示装置１のポスター貼付部５に設けられた無線ＩＣタグリーダ７（図１）の読取信号を常時取り込むようにしてもよいし、また、予め決められた時刻に取り込むようにしてもよい。後者の場合、例えば、広告表示装置１が商業ビルなどの１日でほぼ決められた時間だけ人が居るような場所に設置されており、ポスター２０の貼り替えが夜間遅く行なわれるような場合には、商業ビルの営業時間の一時間前などの人が出始める時刻より前の予め決められた時刻に、制御装置２が無線ＩＣタグリーダ７（図１）の読取信号を常時取り込むようにしてもよい。
【００６１】
そこで、広告表示装置１のポスター貼付部５でポスター２０の貼り替えがあり、貼り替えられた新規のポスター２０の無線ＩＤタグ２１（図２）からそのタグＩＤ情報２１ｄ（図３）を読み取ると、このタグＩＤ情報２１ｄは制御装置２に送られる（図１０のステップ２００）。制御装置２は、このタグＩＤ情報２１ｄを取り込み、通信手段３３（図４）からネットワーク４（図１）を介してコンテンツサーバ３に送る（図１０のステップ２０１）。
【００６２】
コンテンツサーバ３では、図７において、通信手段４０によってこのタグＩＤ情報２１ｄを受信し、マッピング情報取得手段４２が、このタグＩＤ情報２１ｄをタグＩＤ５１として、これに対応するマッピング情報ＩＤ５０をタグマッピング情報４４から取得し（図１０のステップ２０２）、このマッピング情報ＩＤ５０をもとに、マッピング情報ＤＢ４５（図８）からこの新規なポスター２０に対するマッピング情報３５を取得する（図１０のステップ２０３）。このマッピング情報３５は、通信手段４０により、ネットワーク４（図１）を介して、制御装置２に送られる（図１０のステップ２０４）。図２に示す制御装置２では、このマッピング情報３５が通信手段３３によって受信され、マッピング情報３５の更新が行なわれる（図１０のステップ２０５）。
【００６３】
また、図７に示すコンテンツサーバ３では、マッピング情報取得手段４２によってマッピング情報ＤＢ４５から新規のポスター２０に対するマッピング情報３５が取得されると、コンテンツ配信手段４１は、このマッピング情報３５でのコンテンツＩＤ３５ａとコンテンツファイルパス３５ｆをもとに、コンテンツファイルパス３５ｆがローカルファイルパスであるコンテンツ情報をコンテンツ情報ＤＢ４３で検索し、これによって取得したコンテンツ情報を、通信手段４０により、ネットワーク４を介して図２に示す制御装置２にダウンロードする。制御装置２では、このダウンロードされたコンテンツ情報を通信手段３３を介して受信し、コンテンツ情報３４をこのコンテンツ情報に更新する（図１０のステップ２０６）。
【００６４】
これにより、この制御装置２では、新しく貼り替えられたポスター２０に対するコンテンツ情報３４とマッピング情報３５とが設定されたことになり、広告表示装置１のポスター貼付部５に新規に貼り替えられたポスター２０に対する利用者の入力（指し示し）に対し、広告表示装置１のコンテンツ再生部６でこのポスター２０での広告内容に対するコンテンツ（詳細情報や関連情報）を利用者に提供することができるようになる。
【００６５】
このようにして、この実施形態では、広告表示装置１のポスター貼付部５でポスターの貼り替えが行なわれても、これに対し、新たに貼り替えられたポスターの広告内容に対する詳細情報や関連情報を利用者に提供できる状態にすることができる。
【００６６】
なお、以上の実施形態では、掲示媒体を紙製のポスターとしたが、本発明はこれに限るものではなく、取り換え可能な看板などの掲示媒体であってもよい。
【００６７】
また、掲示内容は、広告以外に、店舗や展示場の案内や地図などであってもよい。
【図面の簡単な説明】
【００６８】
【図１】本発明による情報提供システム及び方法の一実施形態を示す図である。
【図２】図１におけるポスター貼付部に貼り付けられるポスターの一具体例を概略的に示す図である。
【図３】図２に示すポスターに取り付けられる無線ＩＣタグの一具体例を概略的に示す図である。
【図４】図１における制御装置の一具体例を概略的に示す図である。
【図５】図４におけるマッピング情報のデータ構造の一具体例を示す図である。
【図６】図１に示す実施形態の情報提供のための動作の一具体例を示すフローチャートである。
【図７】図１におけるコンテンツサーバの内部構造の一具体例を概略的に示す図である。
【図８】図７におけるマッピング情報ＤＢのデータ構造の一具体例を示す図である。
【図９】図７におけるタグマッピング情報のデータ構造の一具体例を示す図である。
【図１０】図１に示す実施形態でのポスターの貼り替えに対する動作の一具体例を示すフローチャートである。
【符号の説明】
【００６９】
１  広告表示装置
２  制御装置
３  コンテンツサーバ
５  ポスター貼付部
６  コンテンツ再生部
７  無線ＩＣタグリーダ
８ａ，８ｂ  超音波センサ
９  ディスプレイ
１０  スピーカ
２０  ポスター
２１  無線ＩＣタグ
２１ｄ  タグＩＤ情報
２２ａ〜２２ｃ  広告内容
３１  位置情報算出手段
３２  コンテンツ取得再生手段
３４  コンテンツ情報
３５  マッピング情報
３５ａ  コンテンツＩＤ
３５ｂ〜３５ｄ  範囲設定情報
３５ｆ  コンテンツファイルパス
４１  コンテンツ配信手段
４２  マッピング情報取得手段
４３  コンテンツ情報ＤＢ
４４  タグマッピング情報
４５  マッビング情報ＤＢ
５０  マッピング情報ＩＤ
５１  タグＩＤ
【図１】
2006030883.tif 000003
【図２】
2006030883.tif 000004
【図３】
2006030883.tif 000005
【図４】
2006030883.tif 000006
【図５】
2006030883.tif 000007
【図６】
2006030883.tif 000008
【図７】
2006030883.tif 000009
【図８】
2006030883.tif 000010
【図９】
2006030883.tif 000011
【図１０】
2006030883.tif 000012